(57)【要約】【課題】報時信号を受信する受信器において改善されたシステム感度を達成する方法を提供する。【解決手段】ディジタル信号の所定の信号レベルの少なくとも１つの信号レベルの持続時間の特性値を目標値と比較し、コンパレータのコンパレータ閾値を比較の結果に依存して変更し、ディジタル信号の少なくとも関連する信号フェーズの持続時間を目標値に近付ける。【選択図】図５ａ
2007147623.tif 000002
【特許請求の範囲】
【請求項１】
受信した振幅変調された報時信号（Ｘ）から時間情報を取得する方法であって、
前記報時信号（Ｘ）を復調し、得られたアナログ信号（ＡＳ）をコンパレータ（１５）を用いてディジタル化し、得られたディジタル信号（ＤＳ）を前記時間情報の取得のために評価する、時間情報を取得する方法において、
・前記ディジタル信号（ＤＳ）の所定の信号レベル（ロー）の少なくとも１つの信号レベルの持続時間（Ｔ）の特性値を目標値（ＳＷ）と比較し、
・前記コンパレータ（１５）のコンパレータ閾値（ＫＳ）を前記比較の結果に依存して変更し、前記ディジタル信号（ＤＳ）の少なくとも関連する前記信号フェーズ（ロー）の前記持続時間（Ｔ）を前記目標値（ＳＷ）に近付けることを特徴とする、時間情報を取得する方法。
【請求項２】
前記ディジタル信号（ＤＳ）のローフェーズ（ロー）の前記持続時間（Ｔ）を目標値（ＳＷ）と比較する、請求項１記載の方法。
【請求項３】
前記コンパレータ閾値（ＫＳ）の変更を段階的に行う、請求項１または２記載の方法。
【請求項４】
前記比較のために前記ディジタル信号（ＤＳ）の関連する前記ローフェーズ（ロー）の複数の持続時間（Ｔ）から平均値を形成する、請求項１から３までのいずれか１項記載の方法。
【請求項５】
前記目標値（ＳＷ）を、前記報時信号（Ｘ）を送信する報時送信局（２）に依存して決定する、請求項１から４までのいずれか１項記載の方法。
【請求項６】
報時送信局（２）から送信された、振幅変調された報時信号（X）を受信し、該報時信号（X）から時間情報を取得する回路装置（４）であって、
前記報時信号（Ｘ）を復調し、該報時信号（Ｘ）からアナログ信号（ＡＳ）を形成する復調器（１２）と、得られた前記アナログ信号（ＡＳ）をディジタル化するコンパレータ（１５）と、前記時間情報を取得するために、得られた前記ディジタル信号（ＤＳ）を評価する評価ユニット（２２）とを有する回路装置（４）において、
・前記報時信号（Ｘ）の少なくとも１つの信号フェーズの持続時間（Ｔ）に対する少なくとも１つの目標値（ＳＷ）が格納されている記憶装置（２４）と、
・前記ディジタル信号（ＤＳ）の所定の信号レベル（ロー）の少なくとも１つの信号フェーズの前記持続時間（Ｔ）の特性値を前記目標値（ＳＷ）と比較するために構成されており、前記記憶装置（２４）と相互作用的に接続されている比較装置（２２ａ）と、
・前記コンパレータ（１５）のコンパレータ閾値（ＫＳ）を前記比較装置（２２ａ）における前記比較の結果に依存して変更するために構成されており、前記ディジタル信号（ＤＳ）の少なくとも関連する信号フェーズ（ロー）の前記持続時間（Ｔ）を前記目標値（ＳＷ）に整合させる、前記比較装置（２２ａ）と相互作用的に接続されている変更装置（１６，２２）とを有することを特徴とする、回路装置（４）。
【請求項７】
前記目標値（ＳＷ）は前記報時信号（Ｘ）の振幅降下（Ｘ１，Ｘ２）の持続時間である、請求項６記載の回路装置（４）。
【請求項８】
前記評価ユニット（２２）は複数の報時送信局（２）から前記報時送信局（２）を識別するために構成されており、識別された前記報時送信局（２）に依存して、前記記憶装置（２４）から相応の目標値（ＳＷ）を前記比較装置（２２ａ）に供給する、請求項６または７記載の回路装置（４）。
【請求項９】
前記変更装置（１６，２２）は前記コンパレータ閾値（ＫＳ）を段階的に変更するために構成されている、請求項６から８までのいずれか１項記載の回路装置（４）。
【請求項１０】
前記比較装置（２２ａ）と相互作用的に接続されている計算ユニット（２２ｂ）が設けられており、該計算ユニット（２２ｂ）は前記ディジタル信号（ＤＳ）の関連する前記信号フェーズ（ロー）の複数の持続時間（Ｔ）から平均値を検出し、特性値として前記比較装置（２２ａ）において該平均値を供給するために構成されている、請求項６から９までのいずれか１項記載の回路装置（４）。
【請求項１１】
請求項６から１０までのいずれか１項に記載の回路装置（４）を有することを特徴とする、無線時計（１）。
【発明の詳細な説明】
【技術分野】
【０００１】
本発明は、時間情報を取得する方法および回路装置ならびに無線時計に関する。
【背景技術】
【０００２】
時間情報の無線制御式の伝送はいわゆる報時信号を用いて行われ、この報時信号は相応の送信局（以下では報時送信局と称する）から送信される。報時信号とは送信局から供給される時間基準を伝送するというタスクに適した短い持続時間の送信信号であると解される。この報時信号は大部分が複数の時間マークを有する変調振動であり、この時間マークは復調された単なるパルスを表し、その種のパルスは送信された時間基準をある程度の不正確性を伴い表す。
【０００３】
ドイツ連邦共和国の長波放送局ＤＣＦ−７７は、永続的な動作状態にある原子時計により制御されている振幅変調された長波時間信号を、公的な原子時間スケールＭＥＺにしたがい５０ＫＷの出力で７７．５ｋＨｚの周波数において送信する。他の国々においても同様の送信局が存在し、それらの送信局は４０〜１２０ｋＨｚの範囲の長波周波数で時間情報を送信する。前述の全ての国は時間情報を伝送するためにそれぞれいわゆるテレグラムを伝送し、このテレグラムはちょうど１分の長さである。
【０００４】
図１は、ドイツ連邦共和国の報時送信局ＤＣＦ−７７の場合における符号化された時間情報の参照符号Ａが付されている符号化スキーマ（テレグラム）を示す。符号化スキーマはここでは５９のビットから構成されており、それぞれ１ビットが時間フレームの１秒に対応する。したがって１分間でいわゆる報時テレグラムを伝送することができ、この報時テレグラムはバイナリの暗号化された形で、殊に時刻と日付に関する情報を包含する。最初の１５ビットＢは、例えば動作情報を内容とする一般的な符号化を包含する。続く５ビットＣは一般的な情報を包含する。Ｒはアンテナビットを表し、Ａ１は中部ヨーロッパ時間（ＭＥＺ）から中部ヨーロッパ夏時間（ＭＥＳＺ）への移行、またその逆への移行に関する通知ビットを表し、Ｚ１およびＺ２はゾーン時間ビットを表し、Ａ２は切換秒ないしうるう秒に関する通知ビットを表し、Ｓは符号化された時間情報の開始ビットを表す。２１番目のビットから６０番目のビットは時刻情報および日付情報をＢＣＤ符号の形で伝送し、この際日付はそれぞれ後続の分に対して有効である。領域Ｄにあるビットは分に関する情報を包含し、領域Ｅにあるビットは秒に関する情報を包含し、領域Ｆにあるビットは暦日に関する情報を包含し、領域Ｇにあるビットは週の日に関する情報を包含し、領域Ｈにあるビットは歴月に関する情報を包含し、領域Ｉにあるビットは暦年に関する情報を包含する。これらの情報はビット形式で符号化されて存在する。領域Ｄ，ＥおよびＩの最後にはそれぞれいわゆる検査ビットＰ１，Ｐ２，Ｐ３が設けられている。テレグラムの６０番目のビットは占有されておらず、後続のフレームの開始を示すために使用される。Ｍは分マークを表し、したがって報時テレグラムの開始を表す。
【０００５】
報時信号を伝送するための図１に示されている符号化スキーマの構造およびビット占有は一般的に公知であり、例えば非特許文献１に記載されている。
【０００６】
図２によれば報時情報の伝送が振幅変調されて個々の秒マークを用いて行われる。変調は毎秒開始時の搬送信号Ｘの降下（または上昇）Ｘ１，Ｘ２であり、ここでＤＣＦ−７７送信局から送信される報時信号の場合には、毎秒開始時に、毎分５９秒を除いて、０．１秒の持続時間Ｘ１または０．２秒の持続時間Ｘ２にわたる搬送波振幅が振幅の約２５％に低減される。このような異なる持続時間の降下Ｘ１，Ｘ２は復号化された形でそれぞれの秒マークないしデータビットを規定する。秒マークのこれらの異なる持続時間は時刻および日付のバイナリの符号化に使用され、０．１秒の持続時間Ｘ１を有する秒マークは２進数の「０」に対応し、０．２秒の持続時間Ｘ２を有する秒マークは２進数の「１」に対応する。６０番目の秒マークが欠落していることによって、次に続く分マークが通知される。それぞれの秒との組み合わせにおいて、報時送信局から送信された時間情報を評価することができる。図２は一例に基づいたその種の振幅変調された時間信号Ｘの一部を示す。もっとも正確な時刻および正確な日付の評価は、１分の５９の秒ビットを一義的に識別することができ、且つそれによりこれらの各秒マークにそれぞれ一義的に「０」または「１」を割り当てることができる場合にのみ可能である。
【０００７】
イギリス、日本またはアメリカ合衆国のような他の国々においては、変調が同様に搬送信号Ｘの振幅を降下ないし上昇させることによって行われているが、もっとも秒マークしたがって降下ないし上昇Ｘ１，Ｘ２の持続時間は多かれ少なかれ変わっており、送信プロトコルに応じて１００ｍｓ〜８００ｍｓである。アメリカ合衆国（ＷＷＶＢ）および日本（ＪＪＹ４０およびＪＪＹ６０）においては信号降下の時間的な割合は殊に毎正秒の５０〜８０％である。降下の程度も全てのプロトコルにおいて異なっており、イギリス（ＭＳＦ）における０レベルまでの完全な降下から、アメリカ合衆国の送信局（ＷＷＶＢ）における基準振幅の僅か３２％までの降下にまで及ぶ。
【０００８】
無線時計および報時信号を受信するための回路装置の一般的な背景は特許文献１〜５に記載されている。報時信号からの時間情報の情報取得および情報処理に関しては非特許文献６〜８に記載されている。
【０００９】
冒頭で述べたような公知の回路装置は通常の場合（出力）コンパレータを有し、このコンパレータは復調によって取得された、整流されたアナログ信号の信号レベルをディジタル化するために基準値、すなわちコンパレータ閾値と比較し、アナログ信号のレベルがコンパレータ閾値を下回るか上回るとローレベル信号（論理的に「０」）またはハイレベル信号（論理的に「１」）を結果として供給する。これとは反対の論理も同様に可能である。しかしながら整流された信号は緩慢にしか本来の入力信号の入力振幅に従わず、また上昇縁および下降縁が同一の傾斜を有していないことが多いので、コンパレータ閾値の位置は形成されるディジタル信号のローフェーズ（「０」）ないハイフェーズ（「１」）の持続時間に大きく影響する。殊に常にノイズが重畳されている低入力レベルにおいては、アナログ信号の側縁、殊に下降縁が比較的平坦になり、また絶対的な電圧変化が比較的少なく、その結果コンパレータ閾値はディジタル信号のローフェーズおよびハイフェーズに殊に大きな影響を及ぼす。
【００１０】
したがって出力コンパレータの閾値の位置は、整流および復調されたアナログ信号をディジタル信号に変換する際に大きな役割を果たし、このディジタル信号に基づき、上述のように、振幅変調された報時信号の降下ないしこの降下の持続時間が報時信号に包含されている時間情報を取得するために評価ユニットによって検出される。今日においてはアナログの復調された時間信号（ＴＣＯ）に対するコンパレータ閾値は不利なことに一定に調節されているか、アナログ的に入力振幅を介して制御されている。コンパレータ閾値は入力レベルが低い場合には増幅されてアナログ信号の最大レベルに近付けられ、また入力レベルが高い場合には相応に低減されることは有効である。このアプローチは集積受信回路の幾つかのタイプにおいて既に実現されている。もっともコンパレータ閾値のこの種の追従制御はフィードバックが設けられていないために相対的に適度に設計されなければならない。さらにこの制御においては信号振幅のみが評価され、信号自体（信号品質）は評価されないので、これにより時間情報の誤りのある受信が生じる可能性があり、この制御は同様に不利であると見なされる。「誤りのある」とは、受信した分プロトコルの持続時間の間に、この分プロトコルの少なくとも１つのデータビットの誤った評価を生じさせる２進の誤判定がなされることを意味する。この場合受信した報時信号から導出される時間はもはや正確なものではない。
【特許文献１】DE 198 08 431 A1
【特許文献２】DE 43 19 946 A1
【特許文献３】DE 43 04 321 C2
【特許文献４】DE 42 37 112 A1
【特許文献５】DE 42 33 126 A1
【特許文献６】DE 195 14 031 C2
【特許文献７】DE 37 33 965 C2
【特許文献８】EP 042 913 B1
【非特許文献１】Telekom Praxis、第１巻、１９９３年のPeter Hetzetの記事「Zeitinformation und Normalfrequenz」
【発明の開示】
【発明が解決しようとする課題】
【００１１】
本発明の課題は、報時信号を受信する受信器において改善されたシステム感度が達成されるように、冒頭で述べた方法および回路装置を発展させることである。さらにはその種の回路装置を備えた無線時計が提供されるべきである。殊に、劣化したパルス長によるエラー頻度も低減され、また妨害された入力信号もより良好に識別されるべきである。さらには異なるプロトコル（国）への簡単な整合が実現されるべきである。
【課題を解決するための手段】
【００１２】
方法に関する課題は、ディジタル信号の所定の信号レベルの少なくとも１つの信号レベルの持続時間の特性値を目標値と比較し、コンパレータのコンパレータ閾値を比較の結果に依存して変更し、ディジタル信号の少なくとも関連する信号フェーズの持続時間を目標値に近付けることにより解決される。
【００１３】
回路装置に関する課題は、回路装置が、報時信号の少なくとも１つの信号フェーズの持続時間に対する少なくとも１つの目標値が格納されている記憶装置と、ディジタル信号の所定の信号レベルの少なくとも１つの信号フェーズの持続時間の特性値を目標値と比較するために構成されており、記憶装置と相互作用的に接続されている比較装置と、コンパレータのコンパレータ閾値を比較装置における比較の結果に依存して変更するために構成されており、ディジタル信号の少なくとも関連する信号フェーズの持続時間を目標値に整合させる、比較装置と相互作用的に接続されている変更装置とを有することにより解決される。
【００１４】
無線時計に関する課題は、無線時計が本発明による回路装置を有することにより解決される。
【発明を実施するための最良の形態】
【００１５】
したがって本発明は、コンパレータ閾値の制御を介して、また記憶されている目標値とディジタル信号の持続時間の比較によって時間に関連する信号振幅（下降または上昇）の長さを最適化するという基本的な着想を基礎とする。本発明によれば従来の解決手段のアプローチとは異なり、ディジタル化された信号の長さに関する閾値変更、すなわちこの信号の所定の信号フェーズの持続時間が検出されるようにコンパレータ閾値を制御するという点において実質的により効率的である。例えば、ドイツ連邦共和国の報時送信局の場合において期待される１００ｍｓの持続時間の代わりに僅か８０ｍｓの持続時間の下降を受信した場合には、コンパレータ閾値を引き上げることによって（偏差を小さくする）ディジタル信号のローフェーズの延長を達成することができる。これとは反対に本発明によれば、期待される１００ｍｓの持続時間の代わりに１２０ｍｓの持続時間の下降を受信した場合には、コンパレータ閾値の低減によって（大きな偏差）ディジタル信号のローフェーズの短縮を達成することができる。
【００１６】
したがって一般的に以下のことが該当する：偏差が大きくなればなるほど、ローフェーズは短くなる。しかしながら同時に、実質的に常に振幅の増加によって認識させられる妨害パルスがコンパレータ閾値の誤りのある変更を生じさせない安全性も高まる。
【００１７】
本発明による方法の有利な実施形態においては前述のように、ディジタル信号のローレベルの持続時間が別個に相応の閾値、すなわち報時信号の振幅降下の持続時間と比較される。相応に本発明による回路装置の実施形態においては、目標値が報時信号の振幅降下の持続時間である。しかしながら原理的には、閾値整合をディジタル信号のハイフェーズと報時信号の相応の振幅最大値ないし振幅上昇との比較に基づき実施することも可能である。
【００１８】
本発明による方法の別の実施形態によれば、コンパレータ閾値の変更が段階的に行われ、このことは簡単なやり方で複数のビットからなる組み合わせとしてコンパレータ閾値を実現することによって達成される。本発明による回路装置の相応の実施形態においては、変更装置がコンパレータ閾値を段階的に変更するために構成されている。つまり２つのビットを組み合わせることによって４つまでの異なる閾値を実現することができる。もっとも８つ以上の閾値（３つのビット）以上では実際の使用においてさらに測定可能な改善は殆どもたらされない。
【００１９】
さらに有利には、比較のためにディジタル信号の関連する信号フェーズの複数の持続時間から平均値、有利には１つの時間フレームの複数の秒ビットの受信に応じた複数秒の総持続時間にわたる平均値が形成され、この平均値によりコンパレータの過度に頻繁な切換は行われなくなる。したがってその種の平均値は信号フェーズの持続時間の特性値に関する別の例を表す。このために本発明による回路装置は、殊に有利な実施形態に関して、比較装置と相互作用的に接続されている計算ユニットを有し、この計算ユニットはディジタル信号の関連する信号フェーズの複数の持続時間から平均値を検出し、特性値として比較装置において平均値を供給するために構成されている。
【００２０】
上述の実施形態によれば、種々の国々の報時送信局はその信号降下の持続時間および程度に関して区別される。これらの２つのパラメータも、形成されるディジタル信号の降下（ローフェーズ）の相応の持続時間に影響を及ぼす。殊に、種々のプロトコルのための受信器においては、その都度最適なコンパレータ閾値を利用できるようにすることがますます重要になる。したがって切換はまさに非常に重要であり、本発明による方法の実施形態においては有利にはそれぞれの目標値が報時信号を送出する報時送信局に依存して検出される。相応に本発明による回路装置の有利な実施形態においては、評価ユニットが複数の報時送信局から１つの報時送信局を識別するために構成されており、また識別された報時送信局に依存して、記憶装置からの相応の目標値を比較装置に供給することができる。報時送信局のその種の識別はドイツ連邦共和国特許明細書第10357201.5号に記載されており、その限りにおいてその開示内容は参照により本願明細書に取り入れられる。
【００２１】
本発明のさらなる利点および特徴は図面を参照する以下の実施例の説明より明らかになる。
【実施例】
【００２２】
図３は非常に簡略化された無線時計１の概略的なブロック回路図を示す。無線時計１は報時信号Ｘ（図１，２を参照されたい）を報時送信局２から受信する。このために無線時計１は受信アンテナ３を有し、この受信アンテナ３の後段には本発明による回路装置４が接続されており、この回路装置を以下では図４に基づきさらに詳細に説明する。無線時計１は回路装置４の後段においてさらに少なくとも１つの表示装置５を有し、この表示装置５を介して報時信号Ｘから取得された時間情報が無線時計１の使用者に対して表示される。
【００２３】
図４は、図３の本発明による回路装置４の詳細なブロック回路図を示し、この回路装置４はドイツ連邦共和国の送信局ＤＣＦ−７７の報時信号Ｘ（図３を参照されたい）を受信し処理するために構成されている。回路装置４は先ず受信する報時信号Ｘに対する少なくとも１つの入力側６を有し、この入力側６にはここでは典型的な値である約０．５μＶの強度の信号が印加される。入力側６は入力信号を増幅するためにＡＧＣ増幅器７と接続されている。ＡＧＣ増幅器７の別の入力側は増幅制御信号ＡＧＣ（Automatic Gain Control）の供給のために使用される。ＡＧＣ増幅器７の出力側にはフィルタ８が接続されており、このフィルタ８は有利には圧電性に構成されており、また報時送信局２（図３を参照されたい）の周波数にチューニングされている。無線時計が複数の異なる報時送信局２を受信するよう構成されている場合には、有利には相応の切換可能なフィルタ８が使用される。フィルタ８を介してＡＧＣ増幅器７の出力側は後置増幅器９の入力側と接続されている。この後置増幅器９の後段には整流器１０、例えばダイオード回路が接続されているので、整流器１０の後段にあり第１のコンデンサ１２と接続されているノード１１にはアナログ信号ＡＳ（図５ａ，ｂ）が印加され、このアナログ信号ＡＳは受信した本来の報時信号Ｘの整流および復調が行われた後に生じる。このためにコンデンサ１２は本発明の実施例に関して、殊に約２２ｎＦの比較的僅かな容量を有し、また報時信号Ｘに包含されている符号化された時間情報に関するＰＷＭ検出に使用される。ノード１１における増幅されたアナログ信号ＡＳの信号強度は約２００ｍＶのオーダである。本発明による回路装置４は同様にノード１１と接続されている信号ピーク検出器１３を有し、この信号ピーク検出器１３の後段には例えば約２．２μＦの容量を有する比較的大きい第２のコンデンサ１４が接続されている。このコンデンサ１４はＡＧＣ制御に使用され、信号ピーク検出器１３と共に、ＡＧＣ増幅器７に対する上述の増幅制御信号ＡＧＣを生じさせる。このことは当業者には公知である。
【００２４】
さらに、ノード１１はコンパレータ１５の第１の入力側と接続されており、このコンパレータの第２の入力側には、制御可能な電圧源１６が接続されており、この電圧源１６はコンパレータ１５の閾値を可変に調節するための可変の基準電圧を供給する。図４の実施例によればコンパレータ１５の出力側は先ず、２つのバイポーラトランジスタ１７ないし１８の形の２つの切換手段と接続されており、この接続はコンパレータ１５が該当するトランジスタ１７，１８のゲートとそれぞれ接続されるように行われている。トランジスタ１７はｐｎｐトランジスタとして構成されており、トランジスタ１８はｎｐｎトランジスタとして構成されており、前者はエミッタが動作電圧ＶＣＣと接続されており、後者はコレクタが動作電圧ＶＣＣと接続されている。他方ではトランジスタ１７ないし１８はそのコレクタないしエミッタがノード１９と接続されており、このノード１９にはさらにプルダウン抵抗２０が接続されている。このようにしてコンパレータ１５およびトランジスタ１７，１８によって形成されているディジタル化回路の出力側２１には、コンパレータ１５の閾値に関するアナログ信号ＡＳの位置に依存してディジタル信号ＤＳ（図５ａ，ｂ）が生じ、このディジタル信号ＤＳは所期のように動作電圧ＶＣＣに応じた信号レベル（ハイレベル、論理的に「１」、いわゆる「アクティブハイ」）を取るか、ごく僅かな信号レベル（ローレベル、論理的に「０」）を取る。本発明による回路装置４の択一的な実施形態（図示せず）の範囲においては、コンパレータ１５の出力側が後続の評価ブロック２２，２３（下記を参照されたい）と直接的に接続されており、その結果図４に示されているトランジスタ１７，１８ならびに抵抗２０は省略され、これにより簡単で廉価な回路構造が得られる。
【００２５】
さらに出力側２１にはディジタル評価ユニット２２が接続されており、この評価ユニット２２はそれ自体公知のやり方でのディジタル信号ＤＳからの時間情報の取得を担当し、さらには取得された時間情報を表示するための表示ユニット５（図３を参照されたい）と信号技術的に接続されているが、この接続は図４においては示唆されているに過ぎない。本発明によれば評価ユニット２２はさらに比較装置２２ａならびに計算ユニット２２ｂを有し、これらの比較装置２２ａおよび計算ユニット２２ｂを有利にはプログラム技術的に構成することができる。それらの機能を以下においてさらに詳細に説明する。さらに本発明による回路装置４は付加的にカウンタ２３ならびに記憶装置２４を有し、これらのカウンタ２３ならびに記憶装置２４は評価ユニット２２とそれぞれ相互作用的に接続されている。評価ユニット２２はさらに制御可能な電圧源１６と相互作用的に接続されており、本発明の本質によればコンパレータ閾値の位置に直接的な影響を及ぼすことができ、この際電圧源１６は本発明によれば評価ユニット２２と共にコンパレータ閾値に関する変更装置として機能する。さらにカウンタはコンパレータ１５の出力側と直接的に接続されているか、（破線で示されているように）同様に出力側２１と接続されており、また評価ユニット２２と協働してディジタル化された信号ＤＳの信号フェーズ（ハイないしロー）の持続時間を検出するために構成されている（下記を参照されたい）。記憶回路２４は殊に、公知の複数の報時送信局の報時信号Ｘにおける相応の信号フェーズ（降下ないし上昇Ｘ１，Ｘ２、図２を参照されたい）の持続時間、すなわちドイツ連邦共和国の送信局ＤＣＦ−７７については１００〜２００ｍｓの降下持続時間（ローフェーズ）に関する目標値を記憶するために構成されている。
【００２６】
上述したように、本発明による回路装置は殊に受信した報時信号Ｘ（図２を参照されたい）の増幅器、整流装置および復調器である。復調後にノード１１（図４を参照されたい）においてはアナログ信号ＡＳが供給され、このアナログ信号ＡＳの電圧はコンデンサ１２に応じて報時信号Ｘの（変調された）振幅に従う。このいわゆるＴＣＯ信号はコンパレータ１５を用いてディジタル化される。制御可能な電圧源１６を用いて評価ユニット１２を介して調節可能なコンパレータ閾値を下回るアナログ信号ＡＳの低入力レベルは出力側２１においてローレベルを表し、高入力レベルは相応にハイレベルを表す。しかしながら整流された信号は緩慢にしか報時信号の入力振幅に追従できず、かつ信号の側縁は同一の傾斜を有していないことが多いので、コンパレータ閾値の位置はディジタル信号ＤＳのローフェーズないハイフェーズの持続時間に影響を及ぼす。殊に常にノイズが重畳されている低入力レベルにおいてはアナログ信号の側縁が比較的平坦になり、また僅かな絶対的な電圧変化しか生じないので、コンパレータ閾値はディジタル化されたローフェーズおよびハイフェーズに殊に大きな影響を及ぼす。この状況を図５，ｂにおいて符号を用いて再度説明する。
【００２７】
図５ａは、コンパレータ１５によってディジタル化される前のノード１１（図４を参照されたい）における復調されて整流されたアナログ信号ＡＳを示す。信号電圧Ｕがミリ秒（ｍｓ）単位の時間ｔにわたりミリボルト（ｍＶ）の単位で表されている。信号ＡＳにはノイズが重畳されているので領域ＡＢにおいては降下が見られ、この降下は報時信号Ｘの振幅の所定の降下Ｘ１，Ｘ２（図２を参照されたい）に対応し、このことは評価ユニット２２によって適切にディジタル化された信号から求めることができる。さらに図５ａにはコンパレータ１５の調節された所定のコンパレータ閾値ＫＳが示されている。アナログ信号ＡＳが対応する閾値電圧値を下回るやいなや、出力側２１（図４を参照されたい）における電圧はハイレベル値からローレベル値の０に降下し、後にコンパレータ閾値ＫＳを再度上回った際に再びハイレベル値ＶＣＣへと上昇する。結果として生じる得られたディジタル信号の経過には参照符号ＤＳが付されている。ディジタル信号ＤＳに生じた降下（ローフェーズ）の持続時間Ｔは続いてカウンタ２３（図４を参照されたい）によって量的に検出され、比較装置２２ａが記憶装置２４に格納されている目標値ＳＷとの比較を行うことによって評価ユニット２２によって評価される。図５ａの例においては、そのようにして発見されたローフェーズの持続時間Ｔは僅か約５０ｍｓであり、この値はドイツ連邦共和国の送信局ＤＣＦ−７７に対する目標値ＳＷ＝１００ｍｓを遙かに下回る。有利には報時信号Ｘの複数の秒マークを超えて、相応の持続時間Ｔにわたる平均値が形成され、前述のように所属の目標値と比較される。続いて評価ユニット２２が測定された（平均）値Ｔの目標値ＳＷからの偏差を検出すると、この評価ユニット２２はコンパレータ１５における基準電圧の変更によってその閾値をステップ的ないし段階的に引き上げることを電圧源１６（図４を参照されたい）に指示し、このことは図５ａのグラフによれば、持続時間Ｔが所定の限界内で目標値ＳＷと重畳するまでローフェーズが時間的に延長されていることに表われている。一般的に以下のことが当てはまる：コンパレータ閾値ＫＳが目標値ＳＷに近ければ近いほど、すなわち復調された信号ＡＳの実質的に一定である上側のレベル値に近ければ近いほど（偏差が小さい）、ディジタル化された信号ＤＳのローフェーズは長くなる。これに対して偏差が大きくなればなるほど、ローフェーズは短くなる。もっとも後者の場合には、実際には常に信号振幅の増大によって認識させられるノイズパルスによってコンパレータの誤った切換が生じやすくなる。
【００２８】
相応に図５ｂは、ディジタル信号ＤＳのローフェーズの検出された、必要に応じて平均化された持続時間Ｔが１０５〜１１０ｍｓであり、したがって１００ｍｓの閾値ＳＷをごく僅かに上回っていることが示されている。したがってここでは、コンパレータ閾値ＫＳを僅かに低減することによって閾値ＳＷへの最適な近似が達成されている。しかしながら択一的に、そのような場合において２つの持続時間（実際値Ｔないし目標値ＳＷ）が既に大部分重畳していることに基づき、殊にコンパレータ閾値ＫＳの段階的な低減が目標値ＳＷを下回る場合には、コンパレータ閾値のさらなる変更を行う必要はない。
【００２９】
もちろん、ＤＣＦ信号の２００ｍｓのローフェーズに関して、ないし相応の降下持続時間に関して、上述の他の別の報時送信局も同様に本方法を実施することができる。同様に、例えば測定された降下持続時間が丁度例えば１００〜２００ｍｓ、例えば約１４０〜１６０ｍｓにある場合にも、報時信号に包含されている期待すべき降下持続時間の間の範囲にわたる特別な「整合ストラテジ」が可能である。この場合殊に、延長された待機ないし拡張された平均化によって、観察される信号フェーズの持続時間の傾向的なさらなる延長または短縮を待機することができ、また閾値整合をその程度まで延長することができる。択一的に、閾値の変更に関して短い持続時間の過度に短いパルスおよび長い持続時間の過度に長いパルスのみを考慮し、これらのパルス持続時間の間に存在する値を誤って評価しないようにすることも可能である。
【００３０】
本発明によればこのようにして、報時信号を受信する受信器において改善されたシステム感度が達成される。殊に、劣化したパルス長によるエラー頻度も低減され、また妨害された入力信号もそれぞれの目標値からの時間的な偏差に基づきより良好にそのような偏差として識別される。さらには異なる報時送信局を（自動的に）識別するための公知のアプローチと関連して、種々のプロトコル（国）との簡単な整合も可能である。さらに本発明によるアプローチは簡単なやり方で、前述の回路装置の種々の構成要素の製造公差を補償することができる。
【図面の簡単な説明】
【００３１】
【図１】報時送信局ＤＣＦ−７７から送信される符号化された時間情報の符号化スキーマ（報時テレグラム）。
【図２】複数の秒パルス（秒マーク）を有する、理想化された公知のＤＣＦ−７７報時送信信号の一部。
【図３】本発明による回路装置を有する無線時計の概略的なブロック回路図。
【図４】図３の本発明による回路装置の概略的なブロック回路図
【図５ａ】アナログ入力信号の信号経過および本発明による回路装置のコンパレータにおける相応のディジタル化された出力信号の信号経過。
【図５ｂ】アナログ入力信号の信号経過および本発明による回路装置のコンパレータにおける相応のディジタル化された出力信号の信号経過。
【符号の説明】
【００３２】
１  無線時計、  ２  報時送信局、  ３  受信アンテナ、  ４  回路装置、  ５  表示ユニット、  ６  入力側、  ７  ＡＧＣ増幅器、  ８  フィルタ、  ９  後置増幅器、  １０  整流器、  １１，１９  ノード、  １２，１４  コンデンサ、  １３  電圧ピーク検出器、  １５  コンパレータ、  １６  電圧源、  １７，１８  トランジスタ、  ２０  抵抗、  ２１  出力側、  ２２  評価ユニット、  ２２ａ  比較装置、  ２２ｂ  計算ユニット、  ２３  カウンタ、  ２４  記憶装置、  Ａ  符号化スキーマ、  Ａ１  ＭＥＺのＭＥＳＺへの移行に関する通知ビット、  Ａ２  切換秒に関する通知ビット、  ＡＢ  アナログ信号の降下、  ＡＧＣ  増幅制御信号、  ＡＳ  アナログ信号、  Ｂ  一般的な符号化ビット、  Ｃ  一般的な日付情報および時刻情報、  Ｄ  分ビット、  Ｅ  時間ビット、  Ｆ  暦日ビット、  Ｇ  週日ビット、  Ｈ  歴月ビット、  Ｉ  暦年ビット、  ＫＳ  コンパレータ閾値、  Ｍ  分マーク、  Ｐ１，Ｐ２，Ｐ３  検査ビット、  Ｒ  アンテナビット、  Ｓ  符号化された時間情報の開始ビット、  ＳＷ  目標値、  Ｔ  持続時間、  ＶＣＣ  動作電圧、  Ｘ  報時信号、  Ｘ１，Ｘ２  報時信号の降下、  Ｚ１，Ｚ２  ゾーン時間ビット
【図１】
2007147623.tif 000003
【図２】
2007147623.tif 000004
【図３】
2007147623.tif 000005
【図４】
2007147623.tif 000006
【図５ａ】
2007147623.tif 000007
【図５ｂ】
2007147623.tif 000008